(57)【特許請求の範囲】
【請求項１】
内部に研磨テープがロール状に巻回して回転可能に収容された研磨テープカセットと、一側にカセット挿入口を有するカセット装着部が設けられた本体枠とを備え、
前記研磨テープカセットの内部には、ロール状に巻回された研磨テープと、前記ロール状に巻回された研磨テープを回転により巻き出す第１巻出スプロケット及び第２巻出スプロケットと、巻き出された研磨テープを巻き取る巻取リールと、研磨テープが接触状に対抗するコイン研磨通路とが設けられており、また、前記第１巻出スプロケットは前記巻取リールの近傍に設けられていると共に、前記第２巻出スプロケットは前記ロール状に巻回された研磨テープの近傍に設けられており、
前記本体枠の外側には、前記第１巻出スプロケット及び前記巻取リールのそれぞれに対応するように設けられた駆動モーターと、前記第１巻出スプロケットに対応するように設けられた駆動モーターの回転軸に固着された主プーリと、前記第２巻出スプロケットに対応するように設けられた回転軸に固着された従動プーリと、前記研磨テープカセットを着脱可能に固定する係止手段とが設けられると共に、前記回転軸が前記カセット装着部にそれぞれ突出状に臨まされ、前記第１巻出スプロケットと前記第２巻出スプロケットとの間にはベルトが掛け渡されており、
前記研磨テープカセットを前記カセット挿入口から前記カセット装着部に挿入し、前記第１巻出スプロケット及び前記巻取リールと前記駆動モーターの回転軸とをそれぞれ嵌め合わせると共に、前記第２巻出スプロケットと前記従動プーリーの回転軸を嵌め合わせた後、前記係止手段により研磨テープカセットを本体枠に着脱可能に係止するように構成し、
さらに、前記第１巻出スプロケットの駆動モーターの回転軸を前記巻取リールの駆動モーターの回転軸より遅い速度で回転するように設定したことを特徴とするコイン研磨装置。
【請求項２】
内部に研磨テープがロール状に巻回して回転可能に収容された研磨テープカセットと、一側にカセット挿入口を有するカセット装着部が設けられた本体枠とを備え、
前記研磨テープカセットの内部には、ロール状に巻回された研磨テープと、前記ロール状に巻回された研磨テープを回転により巻き出す第１巻出スプロケット及び第２巻出スプロケットと、巻き出された研磨テープを巻き取る巻取リールと、研磨テープが接触状に対抗するコイン研磨通路とが設けられており、また、前記第１巻出スプロケットは前記巻取リールの近傍に設けられていると共に、前記第２巻出スプロケットは前記ロール状に巻回された研磨テープの近傍に設けられており、
前記本体枠の外側には、前記第１巻出スプロケット及び前記巻取リールのそれぞれに対応するように設けられた駆動モーターと、前記第１巻出スプロケットに対応するように設けられた駆動モーターの回転軸に固着された主プーリと、前記第２巻出スプロケットに対応するように設けられた回転軸に固着された従動プーリと、前記研磨テープカセットを着脱可能に固定する係止手段とが設けられると共に、前記回転軸が前記カセット装着部にそれぞれ突出状に臨まされ、前記主プーリと前記従動プーリとの間にはベルトが掛け渡されており、
前記研磨テープカセットを前記カセット挿入口から前記カセット装着部に挿入し、前記第１巻出スプロケット及び前記巻取リールと前記駆動モーターの回転軸とをそれぞれ嵌め合わせると共に、前記第２巻出スプロケットと前記従動プーリーの回転軸を嵌め合わせた後、前記係止手段により研磨テープカセットを本体枠に着脱可能に係止するように構成し、
さらに、前記本体枠に前記研磨テープカセットを該本体枠に装着した状態でコイン研磨通路と連通するコイン押出機構を設け、
該コイン押出機構は、その先端にコインが嵌まり込む切欠が形成されたコイン押出板を備え、該コイン押出板が往復直線運動を連続させることで、前記コイン研磨装置へコインを順次押し出すようにしたことを特徴とするコイン研磨装置。
【発明の詳細な説明】
【０００１】
【発明の属する技術分野】
本発明は、スロットマシンのようなコインゲーム機で使用するコインの表裏両面を研磨テープにより研磨するコイン研磨装置に関し、特に汚れた研磨テープを容易に交換することが可能なコイン研磨装置に関するものである。
【０００２】
【従来の技術】
従来、ロール状に巻回された研磨テープを複数のガイドローラにより周回させて研磨テープの表面と裏面とが接触状に対向するコイン研磨通路を形成すると共に、該コイン研磨通路の研磨テープ間にコインを連続的に押し出して通過させることによりコインの表裏両面を研磨するように構成されたコイン研磨装置は知られている（例えば本出願人による特開平１１―１１４２０３号公報参照）。
【０００３】
【発明が解決しようとする課題】
上記した従来のコイン研磨装置は、研磨テープが汚れて新しい研磨テープに交換する場合、研磨テープを枠体の筒状支持部に回動可能に装着した後、複数のガイドローラ及び巻出スプロケットをそれぞれ周回させると共に、その先端を巻取リールに挟み込んで外れないように止着するようにされていたため、その交換作業に手間が掛かって非常に面倒であるという問題点があった。
【０００４】
本発明は上記した問題点に鑑みてなされたもので、その目的とするところは、汚れた研磨テープの交換作業を容易に行うことができるようなコイン研磨装置を提供することである。
【０００５】
【課題を解決するための手段】
上記した目的を達成するために請求項１に係る発明は、内部に研磨テープがロール状に巻回して回転可能に収容された研磨テープカセットと、一側にカセット挿入口を有するカセット装着部が設けられた本体枠とを備え、研磨テープカセットをカセット装着部に着脱可能に装着するようにしたことを特徴とする。
【０００６】
また、請求項２に係る発明は、内部に研磨テープがロール状に巻回して回転可能に収容された研磨テープカセットと、一側にカセット挿入口を有するカセット装着部が設けられた本体枠とを備え、前記研磨テープカセットの内部には、回転によりロール状に巻回された研磨テープを巻き出す巻出スプロケットと、該巻出スプロケットにより巻き出される研磨テープを巻き取る巻取リールと研磨テープが接触状に対抗するコイン研磨通路とが設けられており、前記本体枠の外側には、複数の駆動モーターと研磨テープカセットを着脱可能に固定する係止手段が設けられると共に、前記駆動モーターの回転軸がカセット装着部にそれぞれ突出状に臨まされており、前記研磨テープカセットをカセット挿入口からカセット装着部に挿入すると共に、巻出スプロケット及び巻取リールと駆動モーターの回転軸とをそれぞれ嵌め合わせた後、係止手段により研磨テープカセットを本体枠に着脱可能に係止するように構成されていることを特徴とする。
【０００７】
さらに、請求項３に係る発明は、請求項２記載の発明であって、研磨テープカセットを本体枠に装着した状態でコイン研磨通路と本体枠に設けられるコイン押出機構とが連通するように構成されていることを特徴とする。
【０００８】
そして、請求項１及び請求項２記載の発明によれば、内部に研磨テープがロール状に巻回して収容された研磨テープカセットを本体枠のカセット装着部に装着するだけで汚れた研磨テープを容易に交換することが可能となる。
【０００９】
また、請求項３記載の発明によれば、コイン押出機構によりコインをコイン研磨通路に押し出して研磨テープの摩擦によってコインを研磨することにより、強い摩擦力でコインを研磨することが可能となる。
【００１０】
【発明の実施の形態】
次に、本発明の実施の形態を図面に基づいて詳細に説明する。図１はコインゲーム機としてのスロットマシン１とコイン貸出機２を並設した斜視図である。スロットマシン１は、その前面にコイン投入口３、スタートレバー４、絵柄ドラム５、停止ボタン６、コイン払出口７、呼出ランプ８等を設けて構成される周知構造のものである。
【００１１】
前記コイン貸出機２は、縦長のボックスの前面に紙幣を挿入し得る現金挿入口９、カード挿入口１０、貸出コイン枚数表示器１１、コイン貯留枚数表示器１２が設けられている。また、ほぼ中央にはコイン返却ボタン１３、精算ボタン１４、カード返却ボタン１５等が設けられ、さらに下部にコイン返却口１６及びコイン投入口１７等が設けられている。
【００１２】
一方、コイン貸出機２の内部には、コイン揚送リフト１８、上部タンク１９、下部タンク２０及びコイン研磨装置２１が設けられている。コイン揚送リフト１８は、コイン研磨装置２１によって研磨されたコインを上部タンク１９に揚送するためのもので、上部タンク１９に揚送されたコインは図示しないスロットマシン１内のコインタンクに優先的に送り出された後、コイン貸出機２のコインタンク２２に導かれるようになっている。また、下部タンク２０は、コイン投入口１７に投入されたコインを一時的に貯留するもので、その貯留されたコインをコイン払出ターンテーブル２３によりコイン研磨装置２１のコイン押出機構２４に送り出すようになっている。
【００１３】
図２はコイン研磨装置２１の斜視図、図３は研磨テープカセットを取り出した状態のコイン研磨装置２１の斜視図、図４は背面図である。このコイン研磨装置２１は、金属製の本体枠２５を有し、該本体枠２５に研磨テープカセット２６が着脱可能に装着されるようになっている。前記本体枠２５は、基台ベース２７と一対の前後側板２８ａ，２８ｂとを有する。この一対の前後側板２８ａ，２８ｂのそれぞれ外周縁は外方へ直角に折曲されて断面形状がコ字形枠状に形成されており、研磨テープカセット２６の厚さ寸法より若干大きい間隔を隔てて基台ベース２７の上面に対向状に固定されている。そして、一対の前後側板２８ａ，２８ｂによって形成される空間部が研磨テープカセット２６を着脱可能に装着するためのカセット装着部２９として構成されている。また、本体枠２５の後側板２８ｂであり、その一側縁の上下位置に固着されたガイド板３０、３０と前側板２８ａとによって研磨テープカセット２６の厚さ寸法と略等しい開口幅のカセット挿入口３１が形成されている。
【００１４】
図５は前記研磨テープカセット２６の構成を説明するための分解斜視図、図６は研磨テープカセット２６の内部構造を説明する正面断面図である。なお、図６は研磨テープカセット２６が本体枠２５に装着された状態を示している。この研磨テープカセット２６は、透明な合成樹脂により形成された皿状本体２６ａと皿状カバー２６ｂとを有し、接合によってコインの直径と略同じ厚さのケース体として構成されるもので、その皿状本体２６ａと皿状カバー２６ｂのそれぞれ内側であって、その上下略中央位置に通路構成壁３２と支持壁３３が対向状に設けられている。なお、前記支持壁３３には半円状の凹欠３４が左右２箇所に形成されている。また、皿状本体２６ａには巻取リール３５と第１巻出スプロケット３６及び第２巻出スプロケット３７と複数のガイドローラ３８が設けられる。巻取リール３５と第１及び第２巻出スプロケット３６、３７は、一端が皿状本体２６ａに設けられた円形孔３９に回転可能に挿入して支持され、複数のガイドローラ３８は皿状本体２６ａに突設された軸４０に回転可能に軸支されるようになっている。さらに、皿状本体２６ａには支持突起４１が突設されており、図６に示すようにロール状に巻回された研磨テープ４２の中央部が支持突起４１に挿入された状態で皿状本体２６ａに収容されるようになっている。なお、研磨テープ４２は例えばコインと接触して汚れを除去可能な研磨布などにより構成されている。
【００１５】
前記皿状カバー２６ｂは複数の取付孔４３が設けられており、皿状本体２６ａに突設された取付ボス４４にねじ４５を止着することにより皿状本体２６ａと接合して一体化される。また、皿状カバー２６ｂには円形孔４６と小透孔４７が設けられており、円形孔４６には巻取リール３５と第１及び第２巻出スプロケット３６、３７の他端が回転可能に挿入されて両持ち状態で支持されるようになっている。また、小透孔４７にガイドローラ３８の軸４０がそれぞれ挿入されて支持される。
【００１６】
前記通路構成壁３２と支持壁３３は、皿状本体２６ａと皿状カバー２６ｂの接合によって互いに突合せ状となり、通路構成壁３２とガイド部材７９とによってコイン研磨通路４８が形成されるようになっている。ガイド部材７９は支持壁３３の両凹欠３４、３４部分に上下移動可能に支持されるガイド軸４９，４９と該ガイド軸４９，４９にねじ止めされる端板５０とを有し、ガイド軸４９，４９に巻装されたスプリング５１によって通路構成壁３２に対向してコインを押圧するように付勢される。また、皿状本体２６ａと皿状カバー２６ｂはその一側面の中央部分が切欠きされており、皿状本体２６ａと皿状カバー２６ｂの接合によってコイン研磨通路４８と連通するコイン導入部５２が形成されるようになっている。さらに、コイン研磨通路４８の側方に位置する皿状本体２６ａにコインを受けるシュート５３が設けられ、皿状カバー２６ｂにはシュート５３と一致するコインの排出開口５４が設けられている。
【００１７】
前記支持突起４１に回転可能に支持されるロール状に巻回された研磨テープ４２は、そのテープ幅がコインの直径と略等しい幅に構成されており図６に示すように第１及び第２巻出スプロケット３６、３７及び複数のガイドローラ３８をそれぞれ周回させ、その先端を巻取リール３５に粘着テープ等で外れないように止着するもので、その途中のコイン研磨通路４８部分で互いの表面と裏面とが接触状に対向するようになっている。なお、巻取リール３５と第１及び第２巻出スプロケット３６、３７は合成樹脂により形成されており、第１及び第２巻出スプロケット３６、３７は外周に多数の針状突起５５が設けられた金属板５６を両側面に固着して構成されている。これにより、多数の針状突起５５が研磨テープ４２に食い込んで該ロール状に巻回された研磨テープ４２を確実に巻き出すように作用する。
【００１８】
一方、図３及び図４に示すように本体枠２５の後側板２８ｂであり、その外側上部に固着されたコ字形の枠板５７に巻出用駆動モーター５８と巻取用駆動モーター５９が設けられており、それぞれの回転軸５８ａ及び５９ａがカセット装着部２９にそれぞれ突出状に臨まされている。なお、巻出用駆動モーター５８の回転軸５８ａには主プーリ６０が一体に設けられている。また、本体枠２５の後側板２８ｂであり、その外側下部に従動プーリ６１が回転可能に軸支されており、その従動プーリ６１と一体の回転軸６１ａがカセット装着部２９に突出状に臨まされている。そして、主プーリ６０と従動プーリ６１との間に紐状ベルト６２を交差状に掛け渡して主プーリ６０と従動プーリ６１の回転方向が反対になるように構成されている。
【００１９】
前記巻出用駆動モーター５８の回転軸５８ａ及び従動プーリ６１の回転軸６１ａには第１及び第２巻出スプロケット３６、３７の軸孔３６ａ，３７ａがそれぞれ挿入され、巻取用駆動モーター５９の回転軸５９ａには巻取リール３５の軸孔３５ａが挿入されるようになっている。なお、それぞれの回転軸５８ａ，５９ａ，６１ａの表面には一文字状の突起６３が設けられており、巻取リール３５の軸孔３５ａ及び第１、第２巻出スプロケット３６、３７の軸孔３６ａ，３７ａの内側には一文字状の突起６３が挿入し得る３本の溝６４が直径方向に設けられている。これにより、各回転軸５８ａ，５９ａ，６１ａの空回りを無くすことと各軸孔３５ａ、３６ａ，３７ａへの挿入を容易にできるようにしている。前記巻取用駆動モーター５９の回転軸５９ａ及び巻出用駆動モーター５８の回転軸５８ａは図６においてそれぞれ時計回りに回転するようになっており、巻取リール３５は巻取用駆動モーター５９の回転軸５９ａと一体に回転し、第１巻出スプロケット３６は巻出用駆動モーター５８の回転軸５８ａとそれぞれ一体に回転する。さらに第２巻出スプロケット３７の回転軸３７ａは主プーリ６０の時計回りの回転により紐状ベルト６２及び従動プーリ６１を介して反時計回りに回転する。また、巻出用駆動モーター５８の回転軸５８ａは巻取用駆動モーター５９の回転軸５９ａより遅い速度で回転するように設定されている。これにより研磨テープ４２を巻取量に関係なく常に緊張状態を維持しながら巻取可能なように構成されている。
【００２０】
一方、前記コイン貸出機２の下部タンク２０の下方であって、本体枠２５の基台ベース２７上に前記コイン押出機構２４が設けられている。このコイン押出機構２４は、下部タンク２０から送り出されるコインをホッパー６５に受け入れると共に、その底部に連設した円筒体６６内に水平状態に積み重ねられた最下端のコインをコイン研磨通路４８に順次押し出すもので、図７及び図８に示すようにモーター６７の出力軸に固定された回転円板６８と、該回転円板６８の偏心位置に突設したピン６９に一端が枢支連結されたクランクアーム７０と、該クランクアーム７０の他端に枢支連結され、その先端にコインが嵌まり込む半円状の切欠７１が形成されたコイン押出板７２とにより構成されている。このコイン押出板７２は、コイン受板７３の上面に形成された凹溝７４内に収められており、回転円板６８の回転により凹溝７４に沿って図８実線と鎖線で示す往復直線運動を連続して行うもので、これによりホッパー６５の円筒体６６から凹溝７４に落下するコインを研磨テープカセット２６のコイン導入部５２からコイン研磨通路４８に押し出すようになっている。
【００２１】
また、本体枠２５の前側板２８ａであり、その外側の上下位置に研磨テープカセット２６を係止する係止手段としての係止杆７５，７５が設けられている。この係止杆７５，７５は、研磨テープカセット２６をカセット装着部２９に装着した状態に係止保持するためのもので前側板２８ａの直角に折曲される外周縁と前側板２８ａに固着された支持金具７６，７６により前後方向へ回動可能に取り付けられており、その両側端に直角に折曲する係止部７５ａ、７５ａを設けて構成されている。そして、図９に示すように係止杆７５，７５を回動して係止部７５ａ、７５ａの先端を研磨テープカセット２６の皿状本体２６ａに当接させることで係止可能なようになっている。
【００２２】
しかして、研磨テープカセット２６を本体枠２５に装着するには、係止杆７５，７５を図３に示す位置に回動させた状態で研磨テープカセット２６をカセット挿入口３１からカセット装着部２９に挿入して本体枠２５の後側板２８ｂ内面に押し付ける。これにより、巻取用駆動モーター５９の回転軸５９ａが巻取リール３５の軸孔３５ａに挿入され、巻出用駆動モーター５８の回転軸５８ａが第１巻出スプロケット３６の軸孔３６ａに挿入され、さらに従動プーリ６１の回転軸６１ａが第２巻出スプロケット３７の軸孔３７ａにそれぞれ挿入される。そして、この状態で係止杆７５，７５を回動して係止部７５ａ、７５ａの先端を研磨テープカセット２６の皿状本体２６ａに当接させて係止することで研磨テープカセット２６を本体枠２５のカセット装着部２９に容易に装着することができる。
【００２３】
一方、研磨テープカセット２６を本体枠２５から取り外す場合は、係止杆７５，７５を回動して係止部７５ａ、７５ａの先端による研磨テープカセット２６の係止を解除した後、研磨テープカセット２６を本体枠２５の前側板２８ａ内面に当接する位置まで移動させる。これにより、巻取用駆動モーター５９の回転軸５９ａが巻取リール３５の軸孔３５ａから外れ、巻出用駆動モーター５８の回転軸５８ａ及び従動プーリ６１の回転軸６１ａが第１、第２巻出スプロケット３６、３７の軸孔３６ａ，３７ａからそれぞれ外れることになり、研磨テープカセット２６をカセット挿入口３１から容易に取り出すことができる。
【００２４】
次に、研磨テープカセット２６を装着した状態の作用について説明する。例えばスロットマシン１のコインタンク又はコイン貸出機２のコインタンク２２から補給指令信号が発信されると、その信号によりコイン押出機構２４のモーター６７が駆動しコイン押出板７２の往復直線運動によりホッパー６５のコインを１枚ずつ連続して研磨テープカセット２６のコイン導入部５２からコイン研磨通路４８に押し出す。一方、コイン研磨通路４８に押し出されたコインは上下に対向する研磨テープ４２の表面と裏面で両面が擦られて研磨されつつコイン研磨通路４８を通過し、研磨テープカセット２６のシュート５３に落下して排出開口５４からコイン揚送リフト１８に送り込まれて上部タンク１９に揚送される。この際にコイン揚送リフト１８に送り込まれるコインをセンサ７７により検知し、コインがあらかじめ設定された枚数（例えば１万枚）に達すると巻出用駆動モーター５８と巻取用駆動モーター５９が駆動する。このように、コイン押出機構２４によりコインをコイン研磨通路４８に押し出し、研磨テープ４２の摩擦によってコインを研磨することにより、ガイド部材７９によるコインの押圧力を強くしてもコインを確実に押し出すことが可能となり強い摩擦力で研磨することができる。また、１枚の研磨テープ４２の表面と裏面を使用してコインの表裏両面を同時に研磨することにより研磨テープ４２が節約できて経済的となる。
【００２５】
そして、巻出用駆動モーター５８と巻取用駆動モーター５９の駆動により図６において矢印で示すように巻取リール３５及び第１巻出スプロケット３６が時計回りに回転し、第２巻出スプロケット３７が反時計回りに回転してロール状に巻回された研磨テープ４２を巻き出しながら巻取リール３５に巻取るもので、これにより汚れた研磨テープ４２が移動してきれいな研磨テープ４２がコイン研磨通路４８に供給されることになる。そして、コイン研磨通路４８の汚れた研磨テープ４２がすべて移動し終ると巻出用駆動モーター５８と巻取用駆動モーター５９が停止し、これにより再びきれいな研磨テープ４２でコインを研磨することができるようになる。
【００２６】
なお、前記本体枠２５の後側板２８ｂには研磨テープ４２の残量検出器７８が設けられている。この残量検出器７８は、リール状に巻回された研磨テープ４２が巻き出されて残量が少なくなった際にランプ等の報知手段によりその旨を報知するもので、研磨テープカセット２６の交換時期を容易に確認することができる。
【００２７】
【発明の効果】
以上に述べたように本発明に係わるコイン研磨装置は、内部にテープ状の研磨テープが巻回して収容された研磨テープカセットを本体枠のカセット装着部に装着するだけで汚れた研磨テープを容易に交換することができる。
【図面の簡単な説明】
【図１】本発明が適用されるスロットマシンとコイン貸出機の斜視図である。
【図２】本発明に係るコイン研磨装置の斜視図である。
【図３】研磨テープカセットを取り出した状態のコイン研磨装置２１の斜視図である。
【図４】図２の背面図である。
【図５】研磨テープカセットの分解斜視図である。
【図６】研磨テープカセットの内部構造を説明する正面断面図である。
【図７】コイン押出機構の斜視図である。
【図８】コイン押出機構の作用を説明する平面図である。
【図９】研磨テープカセットの係止状態を示す要部斜視図である。
【符号の説明】
２４            コイン押出機構
２５            本体枠
２６            研磨テープカセット
２９            カセット装着部
３１            カセット挿入口
３５            巻取リール
３６            第１巻出スプロケット
３７            第２巻出スプロケット
４２            研磨テープ
４８            コイン研磨通路
５８            巻出用駆動モーター
５８ａ          回転軸
５９            巻取用駆動モーター
５９ａ          回転軸
７５            係止杆（係止手段）
【図１】
0004679695.tif 000002
【図２】
0004679695.tif 000003
【図３】
0004679695.tif 000004
【図４】
0004679695.tif 000005
【図５】
0004679695.tif 000006
【図６】
0004679695.tif 000007
【図７】
0004679695.tif 000008
【図８】
0004679695.tif 000009
【図９】
0004679695.tif 000010